(57)【要約】【課題】リアサスペンション付自転車等、構造上従来の自転車スタンドの取り付けが困難な自転車に、簡便な自転車スタンドを提供すること。【解決手段】自転車フレーム部（４）、シートポスト（５）、サドル（６）等に、取り付け可能な取り付け部（１）を設け、その取り付け部（１）に、様々な角度に調節、可動できる可動式ジョイント（２）を設け、このジョイント（２）に、伸縮、折りたたみ可能なスタンドポール（３）を設ける。【選択図】　　図４
2004034952.tif 000002
【特許請求の範囲】
【請求項１】
自転車フレーム（４）、シートポスト（５）、サドル（６）等に簡単に取り付け、取り外し可能な取り付け部（１）と可動ジョイント（２）を持ち、伸縮、折りたたみ可能なポール（３）を持った簡易型の自転車スタンド。
【発明の詳細な説明】
【０００１】
【発明の属する技術分野】
本発明は、リアサスペンション付自転車等、設計の想定上、もしくは構造上、従来の自転車スタンドの取り付けが困難な自転車に取り付け可能な簡便な自転車スタンドに関するものである。
【０００２】
【従来の技術】
従来から、自転車を起立させ、転倒を防止させる自転車スタンドはあった。
【０００３】
【発明が解決しようとする課題】
しかしながら、従来の自転車スタンドには以下のような欠点があった。
イ）従来の自転車スタンドには、リアサスペンション付自転車等、自転車、スタンドの構造上、スタンドの取り付けが困難なものがあった。
ロ）また競技用、又は競技色の強い自転車等、本来の用途から通常はスタンドを取り付けずに使用し、日常的な使用の場合等、必要な場合にのみ取り付け可能な自転車スタンドを使用したい場合があった。
【０００４】
【課題を解決するための手段】
自転車フレーム（４）、シートポスト（５）、サドル（６）等に簡単に取り付け、取り外し可能な取り付け部（１）を設ける。そこに可動ジョイント（２）を設け、伸縮、折りたたみ可能なポール（３）を取り付ける。
【０００５】
【発明の実施の形態】
以下、図面に基づき説明する。
イ）　自転車フレーム（４）、シートポスト（５）、サドル（６）等に取り付け可能な取り付け部（１）を設ける。
ロ）取り付け部（１）に可動ジョイント（２）を設ける。ジョイントは水平（１３）、垂直（１４）方向に可動する部分とによって構成されている。
ハ）可動ジョイント（２）に伸縮、折りたたみ可能なポール（３）を取り付ける。
本発明の構成は以上の様になっている。図１、図２は以上の構成を図示したものである。
【０００６】図６はポール（３）の実施例で、折りたたみ式ポールの折りたたみの状態を表す。図７は折りたたみ式ポールの延ばした状態を表す。
【０００７】図８、図９、は本発明の取り付け部（１）の実施例の詳細を表すものである。図１の（１）は２本の締め付けボルト（１６）で取り付け部（１）をシートポスト（５）、フレーム（４）に固定する例で、図８は、取り付け部（１）に蝶番（１５）を用い、１本の締め付けボルト（１６）で取り付け部（１）を固定する例である。図９は、蝶番（１５）と、バックル（１７）により取り付け部（１）を固定する例で、簡単かつ迅速にスタンドの取り外しが出来る事を目的にするものである。
【０００８】図１０から図１２までは伸縮式ポール（３）の伸縮を調整、固定する実施例の詳細である。　図１０は、伸縮式ポール（３）の正面図で、伸縮式ポール（３）は、太い親ポール（１８）と、細い子ポール（１９）の組合わせで構成される。尚、親ポール（１８）は図面上では断面図となっている。図１０の実施例では、親ポール（１８）と、子ポール（１９）を伸縮ポール伸縮調節、固定用ねじＢ（１１）で固定する。このねじ（１１）は図１１（ａ）の斜視図にある通り、先の割れた円錐状の形をしており、親ポール（１８）の雌ねじに締め込むと、先が徐々に狭まり子ポール（１９）を挟んで固定すると言うものである。このような仕組みは窓ガラスふき用のスポンジ付ポール等、家庭用品等にしばしば見られる仕組みである。
図１１（ｂ）はこのポールの仕組みを示す斜視図である。
図１２の実施例では親ポール（１８）の先端に切込みを入れることによってバックル（１２）を締めると、親ポール（１８）の先端が締まり、子ポール（１９）が固定されると言うものである。尚、図１から図５までの実施例では、伸縮ポール伸縮調節、固定用ねじＡ（１０）にて、子ポール（１９）を締めつけ、固定している。
【０００９】本発明を実際に使用する場合は以下の様にする。
スタンド取り付け部（１）をフレーム（４）、シートポスト（５）に取り付けて使用する場合は、可動ジョイント（２）によって走行時、邪魔にならない様な角度に調整し、また伸縮、折りたたみ可能なポール（３）を縮めるか、折りたたむかして走行時の邪魔にならない様にする。図３はその実施例を示したものである。
スタンド使用時は、ポール（３）を伸ばして、ジョイント（２）によって適切な角度に、ポール（３）を調節し、自転車とスタンドの角度を調節する。図４はその実施例を示したものである。
シートポスト（５）に取り付ける場合は、ポール（３）に泥除け（９）を装着、または、ポール（３）と泥除け（９）を１体化したものを使用することも出来る。図３の符号９はその実施例で、泥除け（９）を装着した事を示す。
【００１０】取り付け部（１）がフレーム（４）、シートポスト（５）等に取り付け困難な場合は、サドル（６）の下部等に、取り付けベルト（７）によって固定する。その際補助ロープ（８）によって自転車とスタンドの固定をより確かなものに出来る。図５はその実施例である。尚、取り付け困難な場合の走行の際は、伸縮、折りたたみ可能なポール（３）を縮めるか、折り畳むかしてキャリングケース等、収納袋に入れて携帯する。
【００１１】
【発明の効果】
本発明を使用する事によって、従来のスタンド取り付けが困難な自転車に対して簡便な方法でスタンドの取り付け、取り外しができるスタンドを提供することが出来る。
【図面の簡単な説明】
【図　１】本発明の上（平）面図である。
【図　２】本発明の正面図である。
【図　３】本発明の実施例を示す正面図である。
【図　４】本発明の実施例を示す正面図である。
【図　５】本発明の実施例を示す正面図である。
【図　６】折りたたみ式ポール（３）の実施例の正面図である。
【図　７】折りたたみ式ポール（３）の実施例の正面図である。
【図　８】スタンド取り付け部（１）の実施例の詳細を示す平面図である。
【図　９】スタンド取り付け部（１）の実施例の詳細を示す正面図である。
【図　１０】伸縮式ポール（３）の実施例の詳細を示す正面図（１部断面図）である。
【図　１１】（ａ）はポール伸縮調節、固定用ねじＢ（１１）の実施例の詳細を示す斜視図である。（ｂ）は伸縮式ポール（３）の実施例の詳細を示す斜視図である。
【図　１２】伸縮式ポール（３）とポール伸縮調節、固定用バックル（１２）、の実施例の詳細を示す正面図である。
【符号の説明】
１　　スタンド取り付け部　　　　２　　可動ジョイント
３　　伸縮、又は折りたたみ可能なポール
４　　自転車のフレーム　　　　　５　　自転車のシートポスト
６　　自転車サドル　　　　　　　７　　スタンド取り付けベルト
８　　補助ロープ　　　　　　　　９　　泥除け
１０　ポール伸縮調節、固定用ねじＡ
１１　ポール伸縮調節、固定用ねじＢ
１２　ポール伸縮調節、固定用バックル
１３　可動ジョイント水平用可動部
１４　可動ジョイント垂直用可動部　　　１５　取り付け部蝶番
１６　取り付け部締め付けボルト　１７　取り付け部締め付けバックル
１８　親ポール　　　　　　　　　１９　子ポール
【図１】
2004034952.tif 000003
【図２】
2004034952.tif 000004
【図３】
2004034952.tif 000005
【図４】
2004034952.tif 000006
【図５】
2004034952.tif 000007
【図６】
2004034952.tif 000008
【図７】
2004034952.tif 000009
【図８】
2004034952.tif 000010
【図９】
2004034952.tif 000011
【図１０】
2004034952.tif 000012
【図１１】
2004034952.tif 000013
【図１２】
2004034952.tif 000014